(57)【要約】【課題】受信装置の小型・軽量化を図るとともに、低消費電力化を図ること。【解決手段】小型表示装置たるビュワー４は、カプセル型内視鏡３によって撮像された体腔内画像などを表示するためのものであり、受信装置２とビュワー４間の通信ケーブル接続を通信ケーブル接続検知部４８によって接続検知すると、この接続検知に基づき、制御部４９が切替スイッチ４４を切り替え制御して、ＬＣＤ４１の表示を有線からの画像データの表示切り替えに変更する。次に、通信ケーブル５を介して受信装置２から検査に必要な情報、たとえば画像データを取り込んでＬＣＤ４１に表示させることで、受信装置２に表示手段が必要なくなるとともに、回路構成を簡単にする。【選択図】        図４
2006288543.tif 000002
【特許請求の範囲】
【請求項１】
被検体内導入装置から無線送信される被検体内情報を受信する受信装置と、前記被検体内情報を取り込んで表示部に表示する小型表示装置とを有する被検体内情報取得システムにおいて、
前記受信装置と前記小型表示装置を通信可能に接続する通信手段を、
備え、前記受信装置は、少なくとも前記被検体内情報を前記通信手段を介して、前記小型表示装置に出力し、
前記小型表示装置は、
前記通信手段による前記受信装置との接続を検知する検知手段と、
前記検知手段の検知結果に基づいて、前記表示部の表示を、前記通信手段を介して取り込んだ前記被検体内情報の表示に切り替える切替制御手段と、
を備えることを特徴とする被検体内情報取得システム。
【請求項２】
被検体内導入装置から無線送信される被検体内情報を受信する受信装置と、前記被検体内情報を取り込んで表示部に表示する小型表示装置とを有する被検体内情報取得システムにおいて、
前記受信装置と前記小型表示装置を通信可能に接続する通信手段を、
備え、前記受信装置は、少なくとも前記被検体内情報を前記通信手段を介して、前記小型表示装置に出力し、
前記小型表示装置は、
前記通信手段による前記受信装置との接続を検知する検知手段と、
前記被検体内導入装置から無線送信される被検体内情報を受信する無線手段と、
前記検知手段による検知結果に基づいて、前記無線手段または前記通信手段による受信動作を切り替え制御する切替制御手段と、
を備えることを特徴とする被検体内情報取得システム。
【請求項３】
前記受信装置は、
前記被検体内導入装置からの被検体内情報を受信する受信アンテナと、
前記受信アンテナの受信強度を検出する受信強度検出手段と、
前記受信強度検出手段で検出された受信強度の情報を、前記被検体内情報に重畳する重畳手段と、
をさらに備え、
前記小型表示装置は、
前記受信強度の情報に基づいて、前記被検体内導入装置の位置を解析する解析手段と、
前記表示部に表示される情報を指示する指示手段と、
をさらに備え、
前記切替制御手段は、前記指示手段の指示に応じて、前記表示部に表示させる情報を切り替えることを特徴とする請求項１または２に記載の被検体内情報取得システム。
【請求項４】
前記被検体内導入装置が送信する被検体内情報は、前記被検体内を撮像した映像信号と、前記被検体内導入装置の位置情報とを少なくとも含み、
前記小型表示装置は、
前記表示部に表示される情報を指示する指示手段を、
さらに備え、
前記切替制御手段は、前記指示手段の指示に応じて、前記表示部に表示させる情報を切り替えることを特徴とする請求項１または２に記載の被検体内情報取得システム。
【請求項５】
前記表示部に表示される情報は、前記映像信号、前記被検体内導入装置に関する情報、前記受信装置に関する情報、前記位置情報、前記被検体の検査に関する情報からなり、
前記表示部は、前記切替制御手段の表示切り替えによって、これら情報のうち、少なくとも１つの情報を表示することを特徴とする請求項３または４に記載の被検体内情報取得システム。
【発明の詳細な説明】
【技術分野】
【０００１】
本発明は、被検体内に導入された被検体内導入装置、たとえば飲み込み型のカプセル型内視鏡から無線送信される映像信号を受信および表示する被検体内情報取得システムに関するものである。
【背景技術】
【０００２】
近年、内視鏡の分野では、撮像機能と無線通信機能とが装備されたカプセル型内視鏡が登場している。このカプセル型内視鏡は、観察（検査）のために被検体である被検者の口から飲み込まれた後、被検者の生体から自然排出されるまでの観察期間、たとえば胃、小腸などの臓器の内部（体腔内）をその蠕動運動に伴って移動し、撮像機能を用いて順次撮像する構成を有する。
【０００３】
また、これら臓器内を移動するこの観察期間、カプセル型内視鏡によって体腔内で撮像された画像データは、順次無線通信などの無線通信機能により、被検体の外部に送信され、外部の受信装置内に設けられたメモリに蓄積される。被検者がこの無線通信機能とメモリ機能を備えた受信装置を携帯することにより、被検者は、カプセル型内視鏡を飲み込んだ後、排出されるまでの観察期間であっても、不自由を被ることなく自由に行動が可能になる。観察後は、医者もしくは看護士によって、受信装置のメモリに蓄積された画像データに基づいて、体腔内の画像をディスプレイなどの表示手段に表示させて診断を行うことができる。
【０００４】
一般に、受信装置は、カプセル型内視鏡から送信される映像信号を受信するための複数のアンテナを被検体外部に分散配置し、映像信号の受信誤りが少ない１つのアンテナを選択切り替えして受信するようにしている。なお、特許文献１には、被検体外部に配置された複数のアンテナの受信切り替えを行い、各アンテナが受信する電界強度に基づいて、映像信号の発信源である被検体内のカプセル型内視鏡の位置を探知する受信機が記載されている。
【０００５】
【特許文献１】特開２００３−１９１１１号公報
【発明の開示】
【発明が解決しようとする課題】
【０００６】
しかしながら、この受信装置は、小型のディスプレイを有し、受信した映像信号やカプセル型内視鏡の位置情報を、このディスプレイに表示させるものがあり、この場合には、受信装置自体が大きくて重いものとなり、被検者がこの受信装置を携帯することになると、被検者に大きな負担をかけるという問題があった。さらに、このような受信装置では、ディスプレイの表示、画像処理および位置情報の算出などの制御のために、電力消費が大きくなってしまうという問題もあった。また、受信装置を、ディスプレイを有するワークステーションに接続し、受信装置で得られた映像信号やカプセル型内視鏡の位置情報を、このワークステーションに送信してディスプレイに表示させるものもあるが、この場合には、たとえばカプセル型内視鏡からの受信情報を迅速に見たい時に対応できないという問題があった。また、被検者に受信装置が装着された状態で、ワークステーションに接続すると、被検者に装着されたアンテナと大地が接続されることとなり、絶縁対策が必要となるという問題もあった。
【０００７】
本発明は、上記問題に鑑みてなされたものであって、受信装置の小型・軽量化を図るとともに、低消費電力化を図ることができる被検体内情報取得システムを提供することを目的とする。
【０００８】
また、本発明の他の目的は、迅速、かつリアルタイムにカプセル型内視鏡から取得した被検体内情報などの必要な情報を表示することができる被検体内情報取得システムを提供することにある。
【課題を解決するための手段】
【０００９】
上述した課題を解決し、目的を達成するために、本発明にかかる被検体内情報取得システムは、被検体内導入装置から無線送信される被検体内情報を受信する受信装置と、前記被検体内情報を取り込んで表示部に表示する小型表示装置とを有する被検体内情報取得システムにおいて、前記受信装置と前記小型表示装置を通信可能に接続する通信手段を、備え、前記受信装置は、少なくとも前記被検体内情報を前記通信手段を介して、前記小型表示装置に出力し、前記小型表示装置は、前記通信手段による前記受信装置との接続を検知する検知手段と、前記検知手段の検知結果に基づいて、前記表示部の表示を、前記通信手段を介して取り込んだ前記被検体内情報の表示に切り替える切替制御手段と、を備えることを特徴とする。
【００１０】
また、請求項２の発明にかかる被検体内情報取得システムは、被検体内導入装置から無線送信される被検体内情報を受信する受信装置と、前記被検体内情報を取り込んで表示部に表示する小型表示装置とを有する被検体内情報取得システムにおいて、前記受信装置と前記小型表示装置を通信可能に接続する通信手段を、備え、前記受信装置は、少なくとも前記被検体内情報を前記通信手段を介して、前記小型表示装置に出力し、前記小型表示装置は、前記通信手段による前記受信装置との接続を検知する検知手段と、前記被検体内導入装置から無線送信される被検体内情報を受信する無線手段と、前記検知手段による検知結果に基づいて、前記無線手段または前記通信手段による受信動作を切り替え制御する切替制御手段と、を備えることを特徴とする。
【００１１】
また、請求項３の発明にかかる被検体内情報取得システムは、上記発明において、前記受信装置は、前記被検体内導入装置からの被検体内情報を受信する受信アンテナと、前記受信アンテナの受信強度を検出する受信強度検出手段と、前記受信強度検出手段で検出された受信強度の情報を、前記被検体内情報に重畳する重畳手段と、をさらに備え、前記小型表示装置は、前記受信強度の情報に基づいて、前記被検体内導入装置の位置を解析する解析手段と、前記表示部に表示される情報を指示する指示手段と、をさらに備え、前記切替制御手段は、前記指示手段の指示に応じて、前記表示部に表示させる情報を切り替えることを特徴とする。
【００１２】
また、請求項４の発明にかかる被検体内情報取得システムは、上記発明において、前記被検体内導入装置が送信する被検体内情報は、前記被検体内を撮像した映像信号と、前記被検体内導入装置の位置情報とを少なくとも含み、前記小型表示装置は、前記表示部に表示される情報を指示する指示手段を、さらに備え、前記切替制御手段は、前記指示手段の指示に応じて、前記表示部に表示させる情報を切り替えることを特徴とする。
【００１３】
また、請求項５の発明にかかる被検体内情報取得システムは、上記発明において、前記表示部に表示される情報は、前記映像信号、前記被検体内導入装置に関する情報、前記受信装置に関する情報、前記位置情報、前記被検体の検査に関する情報からなり、前記表示部は、前記切替制御手段の表示切り替えによって、これら情報のうち、少なくとも１つの情報を表示することを特徴とする。
【発明の効果】
【００１４】
本発明にかかる被検体内情報取得システムは、受信装置と小型表示装置を通信手段を介して接続し、検知手段が前記通信手段による前記受信装置と小型表示装置との接続を検知すると、受信装置からの被検体内情報を取り込んで、表示部で表示が可能になるように、切替制御手段が表示の切り替えを行うので、受信装置に表示手段が必要なくなるとともに、回路構成が簡単になり、これによって受信装置の小型・軽量化を図るとともに、低消費電力化を図ることができるという効果を奏する。また、本発明にかかる被検体内情報取得システムは、受信装置に接続された小型表示装置によって被検体内情報などの検査に必要な情報を取り込んで表示部に表示するので、迅速、かつリアルタイムにカプセル型内視鏡から取得した被検体内情報などの必要な情報を小型表示装置の表示部に表示させることができる。
【発明を実施するための最良の形態】
【００１５】
以下に、本発明にかかる被検体内情報取得システムの実施の形態を図１〜図７の図面に基づいて詳細に説明する。なお、本発明は、これらの実施の形態に限定されるものではなく、本発明の要旨を逸脱しない範囲で種々の変更実施の形態が可能である。
【００１６】
（実施の形態１）
図１は、本発明にかかる被検体内情報取得システムの全体構成を示す模式図である。図１において、無線型被検体内情報取得システムは、無線受信機能を有する受信装置２と、被検体１内に導入され、体腔内画像を撮像して受信装置２に対して映像信号などのデータ送信を行うカプセル型内視鏡（被検体内導入装置）３とを備える。また、無線型被検体内情報取得システムは、受信装置２が受信した映像信号に基づいて体腔内画像を表示する小型表示装置たるビュワー４と、受信装置２と小型表示装置たるビュワー４との間でデータの受け渡しを行うための通信手段としての通信ケーブル５とを備える。受信装置２は、被検体１によって着用される受信ジャケット２ａと、受信される無線信号の処理などを行う外部装置２ｂとを備える。
【００１７】
次に、図２の模式図および図３のブロック図を用いて受信装置の構成について説明する。受信装置２は、カプセル型内視鏡３から無線送信された体腔内の画像データを受信する機能を有する。図２および図３に示すように、受信装置２は、被検体１によって着用可能な形状を有し、受信用アンテナＡ１〜Ａｎを備えた受信ジャケット２ａと、受信ジャケット２ａを介して受信された無線信号の処理などを行う外部装置２ｂとを備える。なお、各受信用アンテナＡ１〜Ａｎは、直接被検体（人体）１の外表面に貼付して、受信ジャケット２ａに備え付けられなくてもよく、また受信ジャケット２ａに着脱可能なものでもよい。
【００１８】
外部装置２ｂは、受信された映像信号を、この接続された通信ケーブル５を介して小型表示装置たるビュワー４へ送信している。さらに、この外表面の上面には、受信用アンテナＡ１〜Ａｎを接続するための接続部ＣＯＮが設けられている。なお、これら受信用アンテナＡ１〜Ａｎは、上記接続部ＣＯＮに接続するコネクタＣＯＮ１〜ＣＯＮｎを有する。この外部装置２ｂは、カプセル型内視鏡３から送信された無線信号を２値化して出力する機能を有する。すなわち、外部装置２ｂは、図３に示すように、各受信用アンテナＡ１〜Ａｎの接続切り替えを行う切替スイッチＳＷと、この切替スイッチＳＷの後段に接続され、切替スイッチＳＷによって切り替え接続された受信用アンテナＡ１〜Ａｎからの無線信号を増幅し、復調するチューナー１１とを有し、さらにチューナー１１の後段には、２値化回路１２と、サンプルホールド回路１５とが接続される。サンプルホールド回路１５の後段には、さらにＡ／Ｄ変換部１６が接続される。
【００１９】
重畳部１３は、重畳手段として２値化回路１２で２値化された映像信号に、切替制御部ＳＣからの情報を重畳させ、接続されたインターフェース部１４に出力する機能を有する。切替制御部ＳＣは、強度受信アンテナ番号Ｎ１および映像受信アンテナ番号Ｎ２を有し、これらの番号情報をもとに、切替スイッチＳＷの切替指示を行うとともに、サンプルホールド回路１５、Ａ／Ｄ変換部１６の処理タイミングを指示する。また、インターフェース部１４は、図示しない接続部を介して通信ケーブル５と接続されている。重畳部１３は、図示しない内部メモリを有し、外部から入力する検査ＩＤなどの被検者を識別する識別情報をこの内部メモリに登録する。また、重畳部１３は、切替制御部ＳＣからの情報を映像信号に重畳させてインターフェース部１４に出力している。電力供給部１７は、外部装置２ｂに内蔵された電池からなり、図３に示す電源スイッチ１８がオンされることで、上述した各内部機器への電力供給を行う。
【００２０】
外部装置２ｂの切替スイッチＳＷは、切替制御部ＳＣからの切替指示に基づき、受信用アンテナＡ１〜Ａｎからの無線信号をチューナー１１に出力する。ここで、切替スイッチＳＷは、受信用アンテナＡ１〜Ａｎの配置位置にそれぞれ対応して各受信用アンテナＡ１〜Ａｎを接続するアンテナ切替手段としての接続部ＣＯＮを有する。
【００２１】
さて、図３において、チューナー１１は、上述したように、無線信号を増幅し、復調した映像信号Ｓ１を２値化回路１２に出力するとともに、増幅した無線信号の受信電界強度である受信強度信号Ｓ２をサンプルホールド回路１５に出力する。２値化回路１２によって２値化処理された映像信号は、重畳部１３に出力される。サンプルホールド回路１５によってサンプルホールドされた受信強度信号は、Ａ／Ｄ変換部１６によってデジタル信号に変換され、切替制御部ＳＣに取り込まれる。
【００２２】
切替制御部ＳＣは、強度受信アンテナ番号Ｎ１と映像受信アンテナ番号Ｎ２との情報を保持し、強度受信期間には強度受信アンテナ番号Ｎ１に対応する受信用アンテナＡ１〜Ａｎを選択接続するように切替スイッチＳＷに指示し、映像受信期間には映像受信アンテナ番号Ｎ２に対応する受信用アンテナＡ１〜Ａｎを選択接続するように、切替スイッチＳＷに指示する信号Ｓ５を切替スイッチＳＷに出力するとともに、サンプルホールド回路１５によるサンプルホールドタイミングを指示する信号Ｓ３ａ、Ａ／Ｄ変換部１６によるＡ／Ｄ変換タイミングを指示する信号Ｓ３ｂを出力する。また、切替制御部ＳＣは、強度受信期間中に取り込んだ強度受信アンテナ番号Ｎ１に対応する受信用アンテナＡ１〜Ａｎの番号の情報と、各受信用アンテナＡ１〜Ａｎの受信強度の情報を重畳部１３に出力する。
【００２３】
重畳部１３は、２値化回路１２からの映像信号に、切替制御部ＳＣからの強度受信アンテナ番号Ｎ１に対応する受信用アンテナＡ１〜Ａｎの番号の情報と、各受信用アンテナＡ１〜Ａｎの受信強度の情報を重畳させてインターフェース部１４に出力している。インターフェース部１４は、この映像信号を通信ケーブル５を介して小型表示装置たるビュワー４に送信している。なお、本発明にかかる重畳部１３は、切替制御部ＳＣからの情報とともに、内部メモリに登録された識別情報を映像信号に重畳させてインターフェース部１４に出力することも可能である。
【００２４】
小型表示装置たるビュワー４は、通信ケーブル５を介して受信装置２から取り込んだ情報の表示および解析を行っている。すなわち、小型表示装置たるビュワー４は、図２に示すように、外表面にたとえば表示部としてのＬＣＤ４１などの液晶ディスプレイを有する。この小型表示装置たるビュワー４は、図４に示すように、受信装置２から送信された信号を取り込んでシリアル／パラレル変換するシリアル／パラレル変換部４２を備え、このシリアル／パラレル変換部４２から出力された映像信号は、画像処理回路４３に出力される。画像処理回路４３によって処理された映像データは、切替スイッチ４４を介して、ＬＣＤ４１によって表示出力される。なお、小型表示装置たるビュワー４の外表面には、電源スイッチ５６が設けられている。また、通信ケーブルは、映像信号を通信するケーブルと、たとえばＵＳＢや２３２Ｃ用のケーブルなどを有する複合ケーブルからなり、各種データの通信が可能となっている。
【００２５】
シリアル／パラレル変換部４２から出力された強度受信アンテナ番号Ｎ１に対応する受信用アンテナＡ１〜Ａｎの番号の情報と受信強度の情報は、位置情報検出回路４５に出力される。位置情報検出回路４５は、取り込んだ受信強度の情報に基づいて、最も大きい受信電界強度を受信した受信用アンテナを受信用アンテナとして選択し、この選択された受信用アンテナの番号を位置情報として順次、カプセル位置解析部４６に出力する。
【００２６】
カプセル位置解析部４６は、この位置情報に基づいて、被検体の体腔内におけるカプセル型内視鏡３の位置を解析して、この解析結果の情報を位置情報の画像化部４７に出力する。位置情報の画像化部４７は、被検体内地図を作成し、切替スイッチ４４を介して、この被検体内地図をＬＣＤ４１に表示させるとともに、カプセル位置解析部４６で解析されたカプセル型内視鏡３の位置を、被検体内地図と合わせて表示させる。
【００２７】
また、小型表示装置たるビュワー４は、通信ケーブル接続検知部４８を備えて、通信ケーブル５が受信装置２に接続されたことを検知している。この通信ケーブル接続検知部４８は、たとえば図５に示すように、通信ケーブル５の接続部５１には、定電圧源ＶＤＤと電気的に接続される接点ピン５２と、この接点ピン５２を付勢させて外部に突出させるスプリング５３を設ける。また、この接続部５１の接点ピン５２に対向する受信装置２のコネクタ２１の所定位置には、突起２２を設け、コネクタ２１が接続部５１に取り付けられた時に、この突起２２が接点ピン５２に当接して、接点ピン５２を接続部５１内部に押下する。この押下によって、接点ピン５２と定電圧源ＶＤＤ側の電路５４および制御部４９側の電路５５とが接触して、検知信号が制御部４９に出力される。また、コネクタ２１が接続部５１から取り外された時には、この突起２２と接点ピン５２の当接が解除され、接点ピン５２がスプリング５３の付勢力によって元の位置に戻るので、接点ピン５２と制御部４９側の電路５５とが非接触となって、検知信号が制御部４９に出力されなくなる。
【００２８】
制御部４９は、ＬＣＤ４１の表示を切り替える切替制御手段としての機能を有する。すなわち、この制御部４９は、通信ケーブル接続検知部４８からの検知信号が入力すると、切替スイッチ４４の切り替え制御を行なって、ＬＣＤ４１の表示を通信ケーブル５を介して取り込んだ情報の表示に切り替えている。また、制御部４９には、図２に示した表示部４１の表示切替スイッチなどから構成される操作部５０が接続されており、制御部４９は、この操作部５０の表示切替指示に基づいて、切替スイッチ４４の切り替え制御を行なって、通信ケーブル５を介して取り込んだ情報の選択および選択した情報のＬＣＤ４１への表示を行っている。
【００２９】
つまり、制御部４９は、通信ケーブル５が受信装置２に接続され、通信ケーブル接続検知部４８から検知信号が入力すると、たとえば切替スイッチ４４の切り替え制御を行なって、画像処理回路４３とＬＣＤ４１を接続させて、ＬＣＤ４４に映像データを表示させる。また、操作部５０の表示切替スイッチから表示切替指示が入力すると、制御部４９は、この指示に基づいて、たとえば切替スイッチ４４の切り替え制御を行なって、位置情報の画像化部４７とＬＣＤ４１を接続させて、ＬＣＤ４４に画像化部４７で作成した被検体内地図とこの被検体内地図内にカプセル型内視鏡３の位置とを表示させる。
【００３０】
ところで、ＬＣＤ４１に表示させる情報は、映像データやカプセル型内視鏡の位置情報に限らず、たとえば上述した患者ＩＤ、患者名、年齢などを示す被検者の識別情報や検査ＩＤ、検査時間などの検査に関する情報やカプセルＩＤ、カプセルの電池残量などのカプセル型内視鏡に関する情報や受信装置ＩＤ、電力供給部１７の電池残量、無線信号の受信状態、受信装置の発する警告などの受信装置に関する情報を表示させることも可能である。これらの情報は、映像信号に重畳させて受信装置２から小型表示装置たるビュワー４に送信しても良いし、または小型表示装置たるビュワー４内、たとえば制御部４９の図示しない内部メモリに登録させておき、これらの情報を指定することが可能な操作部５０の表示切替指示に基づいて、該当する情報を少なくとも１つＬＣＤ４１に表示させるように設定することも可能である。たとえば、図６に示すように、Ａの時のＬＣＤ４１の画面には、映像データを表示し、操作部５０の表示切替指示によりＢの時のＬＣＤ４１の画面には、検査ＩＤ、検査時間などの検査に関する情報を表示し、次の操作部５０の表示切替指示によりＣの時のＬＣＤ４１の画面には、被検体内地図やカプセル型内視鏡３の位置を表示させることが可能となる。
【００３１】
このように、この実施の形態では、小型表示装置たるビュワー４は、カプセル型内視鏡３によって撮像された体腔内画像などを表示するためのものであり、通信ケーブル接続検知部４８による接続検知に基づき、制御部４９が切替スイッチ４４を制御して、ＬＣＤ４１の表示切り替えを行い、通信ケーブル５を介して受信装置２から被検体内情報などの検査に必要な情報を取り込んでＬＣＤ４１に表示させることができるので、受信装置に表示手段が必要なくなるとともに、回路構成が簡単になり、これによって受信装置の小型・軽量化を図るとともに、低消費電力化を図ることができる。
【００３２】
また、この実施の形態では、受信装置２との接続を検知して、小型表示装置たるビュワー４内の切り替え制御によって被検体内情報をＬＣＤ４１に表示させることができるので、受信装置２に小型表示装置たるビュワー４を接続させるという簡単な操作だけで、迅速、かつリアルタイムにカプセル型内視鏡３から取得した映像データなどの検査に必要な情報を小型表示装置たるビュワー４のＬＣＤ４１に表示させることができる。
【００３３】
（実施の形態２）
図７は、図１に示した小型表示装置たるビュワーの実施の形態２にかかる構成を示すブロック図である。なお、図４と同様な構成部分に関しては、説明の都合上、同一符号を付記するものとする。
【００３４】
この実施の形態では、小型表示装置たるビュワー４が本来携帯している無線機能と、実施の形態１で示した有線による受信機能との切り替えを可能とするものである。すなわち、この実施の形態では、図４に示した構成の他に、受信用アンテナ５７からの無線信号を受信する受信回路５８と、受信回路５８で復調された映像信号を画像処理して映像データを切替スイッチ４４に出力する画像処理回路５９とを備える。
【００３５】
小型表示装置たるビュワー４では、通信ケーブル５によって受信装置２と接続される前の状態では、たとえばカプセル型内視鏡３から受信回路５８によって直接、映像信号を受信しており、制御部４９は、切替スイッチ４４の切り替え制御によって、この受信回路５８で復調され、かつ画像処理回路５９で処理された映像データをＬＣＤ４１に表示させている。
【００３６】
ここで、通信ケーブル５が受信装置２に接続され、この接続を通信ケーブル接続検知部４８が検知すると、制御部４９は、切替スイッチ４４を有線による受信機能（画像処理回路４３側）に切り替え制御して、受信装置２からの映像データをＬＣＤ４１に表示させる。この際には、受信回路５８で受信した画像データを、たとえば図示しない内部メモリなどに記憶させておいて、その後に操作部５０の切り替え指示に基づいて、制御部４９が切替スイッチ４４を制御して、ＬＣＤ４１に表示させてもよいし、またはＬＣＤ４１に表示させることなく破棄してもよい。なお、操作部５０は、無線による映像データの表示、有線による映像データの表示、位置情報の表示などの表示指示を行うことができる。
【００３７】
このように、この実施の形態では、有線によって取り込んだ映像データの表示と、無線によって取り込んだ映像データの表示とを、通信ケーブル接続検知部４８による接続検知に基づき、制御部４９が切替スイッチ４４を制御して、上記表示切り替えを行い、通信ケーブル５を介して受信装置２から被検体内情報などの検査に必要な情報を取り込んでＬＣＤ４１に表示させることができるので、実施の形態１と同様、受信装置に表示手段が必要なくなるとともに、回路構成が簡単になり、これによって受信装置の小型・軽量化を図るとともに、低消費電力化を図ることができる。
【００３８】
また、この実施の形態では、実施の形態１と同様に、小型表示装置たるビュワー４と受信装置２との接続を検知して、小型表示装置たるビュワー４が本来携帯している無線機能と、有線による受信機能との切り替え制御を行なって、受信装置２から検査に必要な情報を取り込んでＬＣＤ４１に表示させることができるので、迅速、かつリアルタイムにカプセル型内視鏡３から取得した映像データなどの検査に必要な情報を小型表示装置たるビュワー４のＬＣＤ４１に表示させることができる。
【図面の簡単な説明】
【００３９】
【図１】本発明にかかる被検体内情報取得システムの全体構成を示す模式図である。
【図２】図１に示した受信装置と小型表示装置たるビュワーの外観を示す模式図である。
【図３】同じく、受信装置の構成を示すブロック図である。
【図４】同じく、小型表示装置たるビュワーの実施の形態１にかかる構成を示すブロック図である。
【図５】通信ケーブル接続検知部の一例を含む接続部の構成を示す構成図である。
【図６】小型表示装置たるビュワーの表示部の切り替えを説明するための概略図である。
【図７】図１に示した小型表示装置たるビュワーの実施の形態２にかかる構成を示すブロック図である。
【符号の説明】
【００４０】
１  被検体
２  受信装置
２ａ  受信ジャケット
２ｂ  外部装置
３  カプセル型内視鏡
４  ビュワー
５  通信ケーブル
１１  チューナー
１２  ２値化回路
１３  重畳部
１４  インターフェース部
１５  サンプルホールド回路
１６  Ａ／Ｄ変換部
１７  電力供給部
１８，５６  電源スイッチ
２１  コネクタ
２２  突起
４１  表示部
４２  Ｓ／Ｐ変換部
４３，５９  画像処理回路
４４  切替スイッチ
４５  位置情報検出回路
４６  カプセル位置解析部
４７  画像化部
４８  通信ケーブル接続検知部
４９  制御部
５０  操作部
５１，ＣＯＮ  接続部
５２  接点ピン
５３  スプリング
５４，５５  電路
５７，Ａ１〜Ａｎ  受信用アンテナ
５８  受信回路
ＣＯＮ１〜ＣＯＮｎ  コネクタ
【図１】
2006288543.tif 000003
【図２】
2006288543.tif 000004
【図３】
2006288543.tif 000005
【図４】
2006288543.tif 000006
【図５】
2006288543.tif 000007
【図６】
2006288543.tif 000008
【図７】
2006288543.tif 000009